(57)【特許請求の範囲】
【請求項１】
ＩＤと、区画されたエリア外における行動の履歴情報とが記録されているＩＣカード、携帯電話機およびＩＣチップの何れかとの通信を行う通信部と、
前記通信部を介して読み取られた前記ＩＤによって認証を行い、認証が成立した場合に、前記履歴情報を前記通信部を介して読み込み、読み込まれた前記履歴情報から前記区画されたエリア外における行動により生じる温室ガス排出量または削減量に関する第１の情報を取得すると共に、
前記区画されたエリア内における温室ガス排出量または削減量に関する第２の情報を取得する制御部と、
前記第１の情報および前記第２の情報によって、前記区画されたエリア内および前記区画されたエリア外の合計の前記温室ガス排出量または削減量に関する情報を表示する表示部と、
前記制御部によって取得された前記第１の情報および前記第２の情報を前記ＩＤと関連付けて記憶する記憶装置と
を備える温室効果ガス排出量または削減量の管理装置。
【請求項２】
前記区画されたエリア外における行動が交通機関の利用、買い物、並びに電力を動力の少なくとも一部とする乗り物の利用の何れかである請求項１に記載の温室ガス排出量または削減量の管理装置。
【請求項３】
前記区画されたエリア外における行動が交通機関の利用の場合に、前記ＩＣカード、携帯電話機およびＩＣチップの何れかから前記履歴情報として交通機関の利用履歴の情報が前記制御部によって読み込まれ、
前記制御部が前記利用履歴の情報を前記交通機関のサーバに送信し、
前記サーバから前記利用履歴と対応する温室ガス排出量または削減量に関する前記第２の情報を前記制御部が受け取る請求項２に記載の温室ガス排出量または削減量の管理装置。
【請求項４】
前記区画されたエリア外における行動が買い物の場合に、前記ＩＣカード、携帯電話機およびＩＣチップの何れかから前記履歴情報として買い物の履歴の情報が前記制御部によって読み込まれ、
前記制御部が前記買い物の履歴の情報を前記ＩＣカード、携帯電話機およびＩＣチップの何れかに関連する事業者のサーバに送信し、
前記サーバから前記買い物の履歴の情報と対応する購入商品の温室ガス排出量または削減量に関する前記第２の情報を前記制御部が受け取る請求項２に記載の温室ガス排出量または削減量の管理装置。
【請求項５】
前記区画されたエリア外における行動が乗り物利用の場合に、前記ＩＣカード、携帯電話機およびＩＣチップの何れかから前記履歴情報として乗り物の利用履歴の情報が前記制御部によって読み込まれ、
前記制御部が前記利用履歴の情報を前記乗り物のサーバに送信し、
前記サーバから前記利用履歴と対応する温室ガス排出量または削減量に関する前記第２の情報を前記制御部が受け取る請求項２に記載の温室ガス排出量または削減量の管理装置。
【請求項６】
通信部によって、ＩＤと、区画されたエリア外における行動の履歴情報とが記録されているＩＣカード、携帯電話機およびＩＣチップの何れかとの通信を行う通信ステップと、
制御部によって、前記通信部を介して読み取られた前記ＩＤによって認証を行い、認証が成立した場合に、前記履歴情報を前記通信部を介して読み込み、読み込まれた前記履歴情報から前記区画されたエリア外における行動により生じる温室ガス排出量または削減量に関する第１の情報を取得すると共に、
前記区画されたエリア内における温室ガス排出量または削減量に関する第２の情報を取得する制御ステップと、
表示部に、前記第１の情報および前記第２の情報によって、前記区画されたエリア内および前記区画されたエリア外の合計の前記温室ガス排出量または削減量に関する情報を表示する表示ステップと、
記憶装置によって、前記取得された前記第１の情報および前記第２の情報を前記ＩＤと関連付けて記憶する記憶ステップと
を有する温室効果ガス排出量または削減量の管理方法。
【発明の詳細な説明】
【技術分野】
【０００１】
この発明は、例えば家庭外における温室効果ガス排出量または削減量に関する信頼性のある情報をセキュアに収集できる温室効果ガス排出量または削減量の管理装置および管理方法に関する。
【背景技術】
【０００２】
最近では、工場、オフィス（ビル）、家庭におけるエネルギー消費を抑制することが要請されている。二酸化炭素（以下、ＣＯ２と適宜称する）排出量を管理するシステムが特許文献１に記載されている。なお、温室効果ガスとしては、二酸化炭素以外のガスも存在するが、以下の説明では、温室効果ガスの主たるものがＣＯ２であるので、温室効果ガスをＣＯ２に置き換かえて説明する。
【０００３】
特許文献１では、拠点毎にＣＯ２排出量を使用電力量を求め、各拠点のＣＯ２排出量を管理装置にて集約し、各拠点の装置群毎にＣＯ２排出量が目標値以下か否かを判定するものである。特許文献１に記載の発明は、半導体装置の生産工場におけるＣＯ２排出量を管理するものである。
【０００４】
家庭におけるエネルギーを管理する技術は、ＨＥＭＳ(Home Energy Management System)と呼ばれている。従来のＨＥＭＳは、エアコンディショナ等の電気器具のオン／オフ制
御、電力消費量等のログの収集等、省エネルギーの対策を行うものであった。エネルギーの管理をさらに発展させて、家庭におけるＣＯ２排出量をカーボンフットプリントして見えるようにし、ＣＯ２排出量を削減しようとすることが提案されている。この場合には、再生可能エネルギーから発電された電力の消費は、ＣＯ２排出量が殆ど０として扱われる。
【先行技術文献】
【特許文献】
【０００５】
【特許文献１】特開２００９−１９９４９５号公報
【発明の概要】
【発明が解決しようとする課題】
【０００６】
従来の家庭でのＣＯ２排出量の管理は、家庭内のＣＯ２排出量に限定されているのが普通であり、家庭外でのＣＯ２排出量に関しては、殆ど管理できなかった。家庭外での交通機関の利用等をＣＯ２排出量の算出機関に対して自己申告することによって、ＣＯ２排出量を算出することは可能であっても、自己申告のために、信頼性が乏しい問題があった。家庭内のＣＯ２排出量に加えて、家庭外での行動によって排出されるＣＯ２排出量の正確な情報を考慮することによって、より実情に則したＣＯ２排出量の情報を収集することが可能となる。
【０００７】
したがって、本願は、家庭内に加えて家庭外における行動によって生じるＣＯ２排出量を高い信頼性で求めることができる温室ガス排出量または削減量の管理装置および管理方法の提供を目的とする。
【課題を解決するための手段】
【０００８】
本開示の装置は、ＩＤと、区画されたエリア外における行動の履歴情報とが記録されているＩＣカード、携帯電話機およびＩＣチップの何れかとの通信を行う通信部と、
通信部を介して読み取られたＩＤによって認証を行い、認証が成立した場合に、履歴情報を通信部を介して読み込み、読み込まれた履歴情報から区画されたエリア外における行動により生じる温室ガス排出量または削減量に関する第１の情報を取得すると共に、
区画されたエリア内における温室ガス排出量または削減量に関する第２の情報を取得する制御部と、
第１の情報および第２の情報によって、区画されたエリア内および区画されたエリア外の合計の温室ガス排出量または削減量に関する情報を表示する表示部と、
制御部によって取得された第１の情報および第２の情報をＩＤと関連付けて記憶する記憶装置と
を備える温室効果ガス排出量または削減量の管理装置である。
【０００９】
本開示の方法は、通信部によって、ＩＤと、区画されたエリア外における行動の履歴情報とが記録されているＩＣカード、携帯電話機およびＩＣチップの何れかとの通信を行う通信ステップと、
制御部によって、通信部を介して読み取られたＩＤによって認証を行い、認証が成立した場合に、履歴情報を通信部を介して読み込み、読み込まれた履歴情報から区画されたエリア外における行動により生じる温室ガス排出量または削減量に関する第１の情報を取得すると共に、
区画されたエリア内における温室ガス排出量または削減量に関する第２の情報を取得する制御ステップと、
表示部に、第１の情報および第２の情報によって、区画されたエリア内および区画されたエリア外の合計の温室ガス排出量または削減量に関する情報を表示する表示ステップと、
記憶装置によって、取得された第１の情報および第２の情報をＩＤと関連付けて記憶する記憶ステップと
を有する温室効果ガス排出量または削減量の管理方法である。
【発明の効果】
【００１０】
少なくとも一つの実施の形態によれば、ＩＣカードに記録されている履歴情報の信頼性が高いので、エリアの外例えば家庭外における行動によって発生した温室ガス排出量または削減量に関する情報を正確に取得することができる。
【図面の簡単な説明】
【００１１】
【図１】温室ガス排出量または削減量の管理装置の一実施の形態の電力系統を示すブロック図である。
【図２】温室ガス排出量または削減量の管理装置の一実施の形態の通信系統を示すブロック図である。
【図３】ディスプレイ上の表示の第１の例を示す略線図である。
【図４】温室ガス排出量または削減量の管理装置の第２の例の説明に用いるブロック図である。
【図５】ディスプレイ上の表示の第２の例を示す略線図である。
【図６】温室ガス排出量または削減量の管理装置の第３の例の説明に用いるブロック図である。
【図７】ディスプレイ上の表示の第３の例を示す略線図である。
【図８】温室ガス排出量または削減量の管理装置の第４の例の説明に用いるブロック図である。
【図９】ディスプレイ上の表示の第４の例を示す略線図である。
【図１０】温室ガス排出量または削減量の管理装置の第５の例の説明に用いるブロック図である。
【図１１】ディスプレイ上の表示の第５の例を示す略線図である。
【発明を実施するための形態】
【００１２】
以下、この発明の実施の形態について説明する。
なお、以下に説明する実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００１３】
＜１．一実施の形態＞
「ＣＯ２排出量または削減量の管理装置の一例」
図１を参照して、区画されたエリア例えば家庭のＣＯ２排出量または削減量の管理装置の一例について説明する。なお、以下の説明では、ＣＯ２削減量を例に説明する。ＣＯ２削減量は、一例として、予め設定されている標準的なＣＯ２排出量に対しての差分を意味する。例えば家屋の面積、家屋の所在場所、家庭の人員構成等を考慮して、標準的なＣＯ２排出量が事業者、政府機関、政府機関から委託を受けた機関等によって設定される。この標準的なＣＯ２排出量に対する実際のＣＯ２排出量の差分がＣＯ２削減量である。実際のＣＯ２排出量が標準的なＣＯ２排出量を上回った場合は、例えばマイナス表示でもってＣＯ２削減量が表示される。
【００１４】
図１は、電力の供給経路を示し、情報データ、コントロール信号等の伝送経路は、図２に示されている。電力の種類として、直流（ＤＣ）および交流（ＡＣ）が示されている。例えば家庭内の電力ネットワークには、１００Ｖ（６０Hz）（日本）、２２０Ｖ（６０Hz）（ヨーロッパ）の交流電力が流れる。
【００１５】
電力供給網１を通じて発電所が発電した電力が家庭のスマートメータ２を介して家庭内に引き込まれる。発電所は、火力発電所、原子力発電所等である。電力供給網１を通じて家庭に供給される電力のＣＯ２排出量は、発電方式によって相違する。さらに、電力供給会社が供給する電力を家庭のオーナーが買い取る料金は、１日の内の時間帯によって変化する。例えば電力需要が少ない夜間の電力料金が昼間の料金に表示して安価に設定される。
【００１６】
図２に示すように、スマートメータ２は、家庭の電力を管理するホームコントローラ４に対して家庭内ネットワーク例えば無線ＬＡＮ(Local Area Network)で接続されている。無線ＬＡＮによって接続される機器同士は、相互認証によって認証がなされている。さらに、セキュリティを確保するために、無線ＬＡＮで通信されるデータが暗号化される。なお、無線ＬＡＮ以外に有線ＬＡＮを家庭内ネットワークとして使用しても良い。
【００１７】
スマートメータ２は、電力供給網１から家庭に対して供給された電力の正確な測定を所定周期で行い、測定値を通信部によって家庭の電力ネットワークのホームコントローラ４に対して無線ＬＡＮを通じて伝送する。この場合、測定時刻がタイムスタンプとして測定値に付随して送信される。時刻は、電力ネットワークに共通の時刻情報である。例えば電力ネットワーク上に基準時刻発生源が設けられる。
【００１８】
スマートメータ２から家庭内に入った商用電源が配電部３に供給される。配電部３は、交流電力を供給するために複数の電源プラグを有する器具である。配電部３からホームコントローラ４および器具モニタ５に対して交流電力が供給される。器具モニタ５および電力線６を通じて家庭内の電気器具に対して交流電力が供給される。
【００１９】
例えばインターホン７、ＥＶ(Electric Vehicle)用コンセント８、テレビジョン装置９ａ、照明９ｂおよびヘアドライヤ９ｃに対して交流電力が供給される。ＥＶ用コンセント８に対しては、ＨＥＶ(Hybrid Electric Vehicle)および電動バイクも充電のために接続
可能とされている。なお、これらの電気器具は、一例であって、より多くの種類の電気器具が家庭内で使用される。
【００２０】
器具モニタ５は、そこに接続されている電気器具のそれぞれの電力消費量を所定周期例えば１秒周期で測定する。測定された各電気器具の消費電力情報と測定時刻を示すタイムスタンプとが器具モニタ５からホームコントローラ４に無線通信で送信される。
【００２１】
太陽光電池により構成されたソーラパネル１０が発生した直流電力がソーラモジュール１１に供給される。ソーラモジュール１１によって家庭内の交流電力と同期した交流電力が生成される。生成された交流電力がスマートメータ２に供給される。スマートメータ２において、電力供給網１からの交流電力とソーラモジュール１１からの交流電力が加算されて家庭内の電力として使用される。ソーラパネル１０に限らず、再生可能なエネルギーによって発電を行う風力発電器等を電力発生装置として使用しても良い。
【００２２】
ソーラモジュール１１は、ホームコントローラ４と無線ＬＡＮで接続されている。ソーラモジュール１１は、ソーラパネル１０が発生した直流電力と、直流電力が変換されて電力ネットワークに対して供給された交流電力量を測定する。測定値と測定時刻を示すタイムスタンプとがソーラモジュール１１からホームコントローラ４に無線通信で送信される。
【００２３】
家庭内の電力蓄積装置として、例えば比較的大型の据え置き型のバッテリ１３ａと、デタッチャブルのバッテリ１３ｂとからなる蓄電装置１２が備えられている。バッテリ１３ａ、１３ｂは、例えばリチウムイオンバッテリである。蓄電装置１２として、電気二重層を使用しても良い。蓄電装置１２のバッテリ１３ａ、１３ｂを充電および放電等の動作を管理し、蓄電装置１２に蓄積されている直流電力を交流電力に変換するために、エネルギーステーション１４が設けられる。蓄電装置１２およびエネルギーステーション１４が有線インターフェースによって接続される。例えばＳＰＩ(Serial Peripheral Interface)
が使用できる。エネルギーステーション１４からの交流電力が配電部３に供給される。
【００２４】
エネルギーステーション１４は、物理的接続部として複数のソケットを備えている。ソケットに対して、バッテリ１３ｂが挿入、離脱される。バッテリ１３ｂとしては、異なる種類のものを使用できる。例えばリチウムイオンバッテリ、キャパシタ、燃料電池、マイクロコジェネレータ等を使用できる。各バッテリは、セキュアなバッテリ識別子（バッテリＩＤ）によって一意に識別可能とされている。バッテリの種類が相違しても、バッテリは、全て規格化されたソケットに対して挿入できる。
【００２５】
ソケットは、物理的接続を確保し、バッテリ１３ｂとエネルギーステーション１４との間のインターフェースを確保する。エネルギーステーション１４は、バッテリ１３ａ、１３ｂの状態を管理し、安全性および信頼性をモニタリングする。エネルギーステーション１４がホームコントローラ４と無線ＬＡＮで接続されている。ホームコントローラ４は、エネルギーステーション１４からの情報を受信し、バッテリ１３ａ、１３ｂに関連する制御信号をエネルギーステーション１４に対して送信する。
【００２６】
なお、ホームコントローラ４は、ＡＤＳＬ(Asymmetric Digital Subscriber Line)、光ファイバー等を介してインターネット２１上のバッテリプロファイルサーバと接続されている。ホームコントローラ４は、バッテリＩＤと対応するストレージ情報をサーバから受け取ることによって、バッテリの安全且つ適正に充電することができる。さらに、バッテリの使用結果の情報（充電回数、トラブル等）の情報がホームコントローラ４からサーバに対して送信され、サーバのデータベース上のストレージ情報が最新のものに更新される。
【００２７】
ホームコントローラ４に対して無線ＬＡＮによってディスプレイ１５が接続され、ホームコントローラ４からディスプレイ１５に対して表示情報が伝送される。ディスプレイ１５は、家庭内のユーザに対して下記の例に示すような情報またはこれらの状態の一部を表示する。
【００２８】
・電力供給網１から家庭に供給された電力
・ソーラパネル１０から供給された電力
・エネルギーステーション１４へ流れた正味の電力
・エネルギーステーション１４上のバッテリの状態
・家庭内の電気器具によって消費された電力
・使用されたエネルギーにおけるグリーン電力と非グリーン電力との割合
・リアルタイムの使用電力の炭素排出強度
・家庭の電力ネットワークにより消費された電力のカーボンフットプリント
（例えば排出された温室効果ガス（炭素排出強度）を１か月間で積算した値をカーボンフットプリントとして表示し、炭素排出量を見える化する）
【００２９】
ディスプレイ１５により表示される上述の情報は、インターネット２１上のモバイルディスプレイによっても表示可能である。モバイルディスプレイは、携帯電話、携帯型パーソナルコンピュータ等である。さらに、これらの携帯端末を使用して家庭のホームコントローラ４に対して電力ネットワークを制御するための制御信号を送信することが可能とされている。
【００３０】
家庭内の炭素排出強度を求める場合、インターネット２１上のサーバ、具体的には、ＡＰＩ(Application Program Interface) にアクセスし、家庭の消費電力等の情報をＡＰＩに送信し、ＡＰＩにおいて炭素排出強度を演算するようにしても良い。ＡＰＩの一例は、ＡＭＥＥ(Avoiding Mass Extinctions Engine)である。ＡＭＥＥは、世界中のエネルギーデータを収集し、長期間に亘って収集されたさまざまな形のエネルギー消費データを保存している。ＡＭＥＥが規定しているプロファイルにしたがって、自身の家庭のＣＯ２排出量に関する情報をホームコントローラ４が得ることができる。
【００３１】
自身で算出した炭素排出強度またはＡＰＩにより算出してもらった炭素排出強度に基づいて、ホームコントローラ４は、いつエネルギーを電力として蓄電装置１２に蓄積し、また、いつそのエネルギーを蓄電装置１２から供給するかを制御することができる。さらに、蓄積と供給の配分を制御することができる。
【００３２】
家庭内のＣＯ２削減量を管理するのにとどまらず、家庭外での家のオーナーおよび家族の行動に伴うＣＯ２削減量が管理される。家庭外での行動の履歴情報がＩＣカードから取得するようになされる。ホームコントローラ４に対して、ＩＣカードの情報を読み取り、ＩＣカードへ情報を書き込むためのリーダ／ライタ２０が接続されている。
【００３３】
非接触型ＩＣカードは、リーダ／ライタ２０との間で双方向通信を行うもので、リーダ／ライタ２０から送信されるキャリアによって電磁誘導された電力によって動作することが可能とされている。この種のＩＣカードとして、FeliCa（ソニー株式会社の登録商標）のＩＣチップを組み込んだものが知られている。以下の説明においては、かかるFeliCa（ソニー株式会社の登録商標）のＩＣチップを組み込んだＩＣカードを使用するものとする。但し、ＩＣカード以外に携帯電話機、キーホルダ等にＩＣチップを組み込む形態も可能である。
【００３４】
ＩＣカードでは、相互認証が行われ、通信内容が暗号化されるので、安全性が高いものであり、交通カード、電子マネー機能を有するＩＣカード、電子マネー機能とクレジット機能との両方を有するＩＣカード等として広く実用化されている。さらに、将来的にＥＶの充電ステーションが設置される場合に、料金の決済としてＩＣカードが使用される可能性がある。この場合、車のキーホルダにＩＣチップを組み込むようにすれば、決済用にＩＣカードを持つ必要がなくなる利点がある。
【００３５】
「家庭内のＣＯ２排出量の管理」
ホームコントローラ４は、家庭内ネットワークを通じて得られた電力に関する情報を処理し、必要に応じて家庭外のインターネット２１上のウェブサイトにアクセスして、消費電力に関する情報、ＣＯ２削減量に関する情報等を求める。求められた情報をディスプレイ１５上に表示する。
【００３６】
図３は、家庭内の消費電力に関する情報、ＣＯ２削減量に関する情報等をディスプレイ１５に表示する場合の表示例である。ディスプレイ１５による表示は、カラーディスプレイによってなされる。ディスプレイ１５の表示画面の中央部に情報表示エリア１０１が配置される。情報表示エリア１０１の上側にメニュー選択エリア１０２が配置され、情報表示エリア１０１の片側の近傍にユーザ選択エリア１０３が配置され、情報表示エリア１０１の下側に電気器具制御エリア１０４が設けられている。
【００３７】
メニュー選択エリア１０２には、複数のメニューアイコン１１１，１１２，１１３，１１４，１１５，１１６が表示される。タッチパネル１６によってアイコン１１１が選択されると、家庭内ＣＯ２削減量管理メニューに移行する。ユーザ選択エリア１０３に表示されているユーザアイコン１２１，１２２，１２３，１２４の個々のＣＯ２削減量を求めるようにしても良いし、家庭全体のＣＯ２削減量を求めるようにしても良い。電気器具制御エリア１０４には、家庭内の電気器具のアイコンが表示されている。
【００３８】
情報表示エリア１０１のほぼ中央に家のマークが表示される。家のマークが２分され、図に向かって左側半分に、電力供給網１から家庭に供給された電力の量の表示１３１Ａがなされる。通常、この電力は、非グリーン電力（炭素排出強度が比較的高い電力）であるので、赤色で表示される。但し、電力供給網１から供給される電力の中でも、グリーン電力（炭素排出強度が比較的低い電力）が存在する場合には、破線で示すように、グリーン電力の量に対応した表示１３１Ｂ（緑色）がなされる。この表示１３１Ａ、１３１Ｂおよび１３２は、リアルタイムで変化するアニメーション表示である。
【００３９】
図に向かって右側半分にソーラパネル１０（図３では、アイコン１３３で示される）が発生したグリーン電力の量に対応した表示１３２がなされる。さらに、蓄電装置１２を構成するデタッチャブルなバッテリ１３ｂの例えば３個のバッテリに対応し、それぞれの蓄積量を表すアイコン１３４ａ、１３４ｂ、１３４ｃが表示される。さらに、家庭内の電気器具を示すエリア１３５が設けられ、エリア１３５内に動作中の電気器具のそれぞれのアイコンと現在の消費電力とが表示される。現在の合計消費電力量の表示１３６がなされる。
【００４０】
さらに、インディケータ１３７が表示される。インディケータ１３７の針マークの示す位置が家庭内に現在供給されている電力量のグリーン度（きれいさ）を表す。インディケータ１３７の左端のアイコン１３８Ａが最も良好な位置であり、その右端のアイコン１３８Ｂが最も悪い位置である。したがって、針マークが左に触れるほど、グリーン度が良好であり、針マークが右に触れるほど、グリーン度が悪いことを表している。
【００４１】
さらに、情報表示エリア１０１とメニュー選択エリア１０２との間に、月（日、週等でも良い）単位の累計の消費電力の表示１３９と、月（日、週等でも良い）単位の累計のＣＯ２削減量の表示１４０とがされる。ＣＯ２削減量を求めるに際して、生成方法に応じた各電力の炭素排出強度が考慮される。ＣＯ２削減量は、ユーザ（家のオーナー）の利害にとって、意味のある値である。例えばＣＯ２削減量が政府の支給する環境補助金の基礎とされる。あるいはＣＯ２排出量の取引市場において取引対象とされる。
【００４２】
メニュー選択エリア１０２において、ホームアイコン１１１が選択される場合に、電気器具制御エリア１０４には、家庭内の電気器具の状態（オン／オフ）と消費電力とが表示されている。ユーザは、電気器具制御エリア１０４の電気器具に対応するアイコンを押すことによって、当該電気器具のオン／オフを制御することを可能としても良い。例えばアイコンが押されると、そのアイコンに対応する電気器具の制御に適したコントロール画面が表示され、電源のオン／オフ等をリモートコントロールすることが可能とされる。
【００４３】
「家庭外のＣＯ２削減量の管理」
家庭外における行動の履歴情報がＩＣカードに記録されている。家庭外における行動が交通機関の利用、買い物、並びに電力を動力の少なくとも一部とする車（バイク）の利用の何れかである。ＩＣカードが通信部としてのリーダ／ライタ２０に近接されると、ＩＣカードとリーダ／ライタ２０との間で、相互認証が行われる。相互認証が成立すると、ＩＣカードに記録されている履歴情報がリーダ／ライタ２０によって読み込まれる。読み込まれた履歴情報からホームコントローラ４は、温室ガス削減量に関する情報を取得する。取得された温室ガス削減量に関する情報がディスプレイ１５に表示される。ホームコントローラ４は、取得された温室ガス削減量に関する情報をＩＣカードに記録されているＩＤと関連付けて記憶装置例えばハードディスクに記憶する。
【００４４】
「ＩＣカード乗車券の利用」
家庭外のＣＯ２削減量の管理の第１の例は、交通機関を利用した履歴情報をＩＣカード乗車券から読み込み、交通機関の利用によってもたらされたＣＯ２削減量の情報を取得するものである。メニュー選択エリア１０２において、交通アイコン１１２が選択されている状態において、図４に示すように、リーダ／ライタ２０に対してＩＣカード乗車券３１を近接させると、相互認証がなされ、認証が成立すると、ＩＣカード乗車券３１に記録されている例えば鉄道の乗車（利用）履歴情報が読み取られる。
【００４５】
リーダ／ライタ２０によって読み取られた乗車履歴情報がホームコントローラ４に対して供給される。ホームコントローラ４は、ＩＣカード乗車券３１の発行元の鉄道会社または事業会社のカーボンフットプリントデータベース３２に対してインターネット２１を通じてアクセスし、ログインする。ＩＣカード乗車券３１のＩＤと乗車履歴情報とを含む問い合わせがホームコントローラ４からカーボンフットプリントデータベース３２に対して送信される。この問い合わせは、ＩＣカード乗車券３１の読み取りの結果として自動的になされる。但し、ホームページにアクセスしてＩＤ、パスワード等を入力することによって問い合わせを行っても良い。
【００４６】
カーボンフットプリントデータベース３２は、問い合わせに対して、ＩＤおよびＩＣカード乗車券３１の履歴情報に対応するカーボンフットプリントのデータが検索され、ホームコントローラ４に対してカーボンフットプリントのデータが送信される。ホームコントローラ４は、受信したカーボンフットプリントのデータから基準のＣＯ２排出量に対するＣＯ２削減量を演算し、ＣＯ２削減量のデータを記憶装置２２に記憶する。記憶装置２２は、ユーザ毎にＣＯ２削減量のデータを記憶する。ホームコントローラ４は、ＩＣカード乗車券３１のＩＤに基づいて記憶装置２２のカードユーザアカウントにログインしてＣＯ２削減量のデータを記憶する。
【００４７】
記憶装置２２は、ＩＣカードのユーザ毎にＣＯ２削減量のデータの累積値を記憶する。累積値は、１カ月等の所定期間毎の累積値である。記憶装置２２は、ホームコントローラ４と関連して家庭内または家庭外（例えばインターネット上）に設けられている。記憶装置２２からのＣＯ２削減量の累積値をホームコントローラ４が読み込むと、累積値がホームコントローラ４の制御によってディスプレイ１５によって表示される。
【００４８】
図５に示すように、ＩＣカード乗車券３１の乗車履歴情報によって、ＣＯ２削減量に関する情報がディスプレイ１５に表示される。情報表示エリア１０１には、リーダ／ライタ２０によって読み込まれたＩＣカード乗車券３１の乗車履歴情報が表示される。乗車履歴情報は、日付毎に入場駅、出場駅、利用金額および残高が表示される。カーボンフットプリントデータベース３２からカーボンフットプリントの情報が取得され、ホームコントローラ４によりＣＯ２削減量が求められる。そして、記憶装置２２に記憶されたＣＯ２削減量が情報表示エリア１０１に表示される。
【００４９】
さらに、情報表示エリア１０１の上側には、現在の家庭内の消費電力表示１３９と、累計のＣＯ２削減量表示１４０とがなされる。なお、累計のＣＯ２削減量表示１４０は、交通関係に関するＣＯ２削減量を示す値、家庭外における全部のＣＯ２削減量を示す値、家庭内および家庭外における全部のＣＯ２削減量を示す値の何れでも良い。さらに、ユーザの個々に関するＣＯ２削減量の値および家庭内の全ユーザに関するＣＯ２削減量の値の何れでも良い。
【００５０】
メニュー選択エリア１０２では、複数のメニューアイコンの内で、交通アイコン１１２が選択されている。さらに、リーダ／ライタ２０によって読み取られたＩＣカード乗車券３１のＩＤと対応するユーザアイコン１２１が他のユーザアイコンと区別して表示される。
【００５１】
「交通カードの他の例」
ＩＣカード乗車券は、列車、バス等に使用可能である。ユーザが利用する交通機関としては、航空機の場合もある。航空会社が発行しているＩＣカード（所謂マイレージカード）には、ユーザのＩＤと、搭乗履歴情報のデータとが記録されている。搭乗履歴情報からＣＯ２削減量の情報を取得することができる。メニュー選択エリア１０２において、交通アイコン１１２が選択されている状態において、図６に示すように、リーダ／ライタ２０に対して搭乗履歴が記録されているＩＣカード４１を近接させると、相互認証がなされ、認証が成立すると、ＩＣカード４１に記録されている航空機の搭乗（利用）履歴情報が読み取られる。
【００５２】
リーダ／ライタ２０によって読み取られた乗車履歴情報がホームコントローラ４に対して供給される。ホームコントローラ４は、ＩＣカード４１の発行元の航空会社または事業会社のウエブサイト４２に対してインターネット２１を通じてアクセスし、ログインする。ＩＣカード４１のＩＤと搭乗履歴情報とを含む問い合わせがホームコントローラ４からウエブサイト４２に対して送信される。この問い合わせは、ＩＣカード乗車券４１の読み取りの結果として自動的になされる。但し、ウエブサイト４２にアクセスしてＩＤ、パスワード等を入力することによって問い合わせを行っても良い。
【００５３】
ウエブサイト４２は、問い合わせを受信すると、カーボンフットプリントデータベース３２に対して問い合わせの内容を送信する。カーボンフットプリントデータベース３２は、問い合わせに対して、ＩＤおよびＩＣカード４１の搭乗履歴情報に対応するカーボンフットプリントのデータが検索され、ウエブサイト４２を介してホームコントローラ４に対してカーボンフットプリントのデータが送信される。ホームコントローラ４は、受信したカーボンフットプリントのデータから基準のＣＯ２排出量に対するＣＯ２削減量を演算し、ＣＯ２削減量のデータを記憶装置２２に記憶する。記憶装置２２は、ユーザ毎にＣＯ２削減量のデータを記憶する。ホームコントローラ４は、ＩＣカード４１のＩＤに基づいて記憶装置２２のカードユーザアカウントにログインしてＣＯ２削減量のデータを記憶する。
【００５４】
記憶装置２２は、ＩＣカードのユーザ毎にＣＯ２削減量のデータの累積値を記憶する。累積値は、１カ月等の所定期間毎の累積値である。記憶装置２２は、ホームコントローラ４と関連して家庭内または家庭外（例えばインターネット上）に設けられている。記憶装置２２からのＣＯ２削減量の累積値をホームコントローラ４が読み込むと、累積値がホームコントローラ４の制御によってディスプレイ１５によって表示される。
【００５５】
図７に示すように、ＩＣカード４１の搭乗履歴情報によって、ＣＯ２削減量に関する情報がディスプレイ１５に表示される。メニュー選択エリア１０２では、複数のメニューアイコンの内で、交通のアイコン１１２が選択されている。さらに、リーダ／ライタ２０によって読み取られたＩＣカード４１のＩＤと対応するユーザアイコン１２１が他のユーザアイコンと区別して表示される。
【００５６】
情報表示エリア１０１には、リーダ／ライタ２０によって読み込まれたＩＣカード４１の搭乗履歴情報が表示される。乗車履歴情報は、搭乗した日付毎に便名、機種名、出発空港、到着空港、クラス、座席番号、およびマイルが表示される。カーボンフットプリントデータベース３２からカーボンフットプリントの情報が取得され、ホームコントローラ４によりＣＯ２削減量が求められる。そして、記憶装置２２に記憶されたＣＯ２削減量が情報表示エリア１０１に表示される。さらに、上述したＩＣカード乗車券のデータの処理と同様に、情報表示エリア１０１の上側には、現在の家庭内の消費電力表示１３９と、累計ＣＯ２削減量の表示１４０とがなされる。
【００５７】
「電子マネーカードの利用」
家庭外のＣＯ２削減量の管理の第２の例は、外で電子マネーを使用して買い物を行った場合に、購入した商品のカーボンフットプリントを使用してＣＯ２削減量の情報を取得する。メニュー選択エリア１０２において、買い物アイコン１１３が選択されている状態において、図８に示すように、リーダ／ライタ２０に対して電子マネーカード５１を近接させると、相互認証がなされ、認証が成立すると、電子マネーカード５１に記録されている買い物履歴情報が読み取られる。
【００５８】
リーダ／ライタ２０によって読み取られた買い物履歴情報がホームコントローラ４に対して供給される。ホームコントローラ４は、電子マネーカード５１の発行元の事業会社の買い物履歴サーバ５２に対してインターネット２１を通じてアクセスし、ログインする。電子マネーカード５１のＩＤと買い物履歴情報とを含む問い合わせがホームコントローラ４から買い物履歴サーバ５２に対して送信される。この問い合わせは、電子マネーカード５１の読み取りの結果として自動的になされる。但し、ホームページにアクセスしてＩＤ、パスワード等を入力することによって問い合わせを行っても良い。
【００５９】
買い物履歴サーバ５２は、問い合わせに対して、購入商品のカーボンフットプリントの情報を購入履歴から特定されるストアのサーバ５３から取得する。ストアのサーバ５３は、購入商品のカーボンフットプリントの情報をカーボンフットプリントデータベース３２から取得し、カーボンフットプリントの情報を電子マネー事業者の買い物履歴サーバ５２に対して送信する。買い物履歴サーバ５２がホームコントローラ４に対して取得したカーボンフットプリントの情報を送信する。
【００６０】
ホームコントローラ４は、受信したカーボンフットプリントのデータから基準のＣＯ２排出量に対するＣＯ２削減量を演算し、ＣＯ２削減量のデータを記憶装置２２に記憶する。記憶装置２２は、ユーザ毎にＣＯ２削減量のデータを記憶する。ホームコントローラ４は、電子マネーカード５１のＩＤに基づいて記憶装置２２のカードユーザアカウントにログインしてＣＯ２削減量のデータを記憶する。
【００６１】
記憶装置２２は、電子マネーカード５１のユーザ毎にＣＯ２削減量のデータの累積値を記憶する。累積値は、１カ月等の所定期間毎の累積値である。記憶装置２２は、ホームコントローラ４と関連して家庭内または家庭外（例えばインターネット上）に設けられている。記憶装置２２からのＣＯ２削減量の累積値をホームコントローラ４が読み込むと、累積値がホームコントローラ４の制御によってディスプレイ１５によって表示される。
【００６２】
図９に示すように、電子マネーカード５１の買い物履歴情報によって、ＣＯ２削減量に関する情報がディスプレイ１５に表示される。図９に示す例では、家庭内のあるユーザが２枚の買い物カードを所有している例である。情報表示エリア１０１には、リーダ／ライタ２０によって読み込まれた電子マネーカード５１の買い物履歴情報が表示される。買い物履歴情報は、日付毎に支払い金額および残高が表示される。さらに、入金（チャージ）の情報も表示される。買い物履歴サーバ５２を経由してカーボンフットプリントデータベース３２から購入商品毎にＣＯ２削減量が求められる。そして、記憶装置２２に記憶されたＣＯ２削減量が情報表示エリア１０１に購入商品毎に表示される。さらに、情報表示エリア１０１の上側には、上述したように、現在の家庭内の消費電力表示１３９と、累計のＣＯ２削減量表示１４０とがなされる。
【００６３】
メニュー選択エリア１０２では、複数のメニューアイコンの内で、買い物アイコン１１３が選択されている。さらに、リーダ／ライタ２０によって読み取られた電子マネーカード５１のＩＤと対応するユーザアイコン１２２が他のユーザアイコンと区別して表示される。
【００６４】
なお、電子マネーカードとしては、携帯電話機の構成であっても良い。さらに、電子マネーに限らず、クレジットカードによる買い物に対しても同様に、ＣＯ２削減量が求められ、表示される。
【００６５】
「ＥＶユーザカードの利用」
家庭外のＣＯ２削減量の管理の第３の例では、ＥＶ（ＨＥＶ、電動バイクも同様）のユーザカードによって、ＥＶの利用履歴に応じたＣＯ２削減量が求められ、求められたＣＯ２削減量が表示される。メニュー選択エリア１０２において、ＥＶアイコン１１４が選択されている状態において、図１０に示すように、リーダ／ライタ８ｂに対してＥＶユーザカード６１を近接させると、相互認証がなされ、認証が成立すると、ＥＶユーザカード６１に記録されているＥＶ履歴情報が読み取られる。
【００６６】
リーダ／ライタ８ｂは、ＥＶ用コンセント８の一部をなしている。ＥＶ用コンセント８は、双方向通信可能に接続されているコントローラ８ａ、リーダ／ライタ８ｂおよびコンセント８ｃによって構成されている。リーダ／ライタ８ｂによってＥＶユーザカード６１から読み取られた情報がコントローラ８ａに供給され、コントローラ８ａからの情報がＥＶユーザカード６１に書き込まれる。
【００６７】
コンセント８ｃに対してＥＶ６２例えばＰＥＶ(Plug-in Electric Vehicle)が充電のために接続される。コンセント８ｃとコントローラ８ａとが接続されており、コンセント８ｃを通じての充電量の情報がコントローラ８ａに対して送信される。コントローラ８ａから器具モニタ５に対して充電量の情報が伝送され、器具モニタ５からホームコントローラ４に対して充電量の情報が伝送される。
【００６８】
ＥＶユーザカード６１は、例えばＥＶ用のキーホルダにＩＣチップを埋め込んだ構成とされている。ＥＶユーザカード６１は、ユーザＩＤと共に、ＥＶ６２の利用履歴として走行距離、累積走行距離のデータが記録されている。例えば走行開始時と走行終了時とのそれぞれの距離がＥＶ６２の制御用コンピュータとの通信によって取得され、ＥＶユーザカード６１に記録される。さらに、ＥＶ６２に搭載されているバッテリの充電状態の情報等のステータス情報がＥＶユーザカード６１に記録される。
【００６９】
ＥＶユーザカード６１から読み取られた利用履歴情報およびステータス情報がコントローラ８ａに供給され、コントローラ８ａから器具モニタ５を経由してホームコントローラ４に送信される。ホームコントローラ４では、利用履歴情報からＣＯ２削減量を演算してユーザＩＤ毎に記憶装置２２にＣＯ２削減量の情報を記憶する。なお、家庭内のリーダ／ライタ２０に対してＥＶユーザカード６１を近接させてＥＶの利用履歴情報をリーダ／ライタ２０から読み取るようにしても良い。さらに、ＥＶの利用によるＣＯ２削減量を求めるために、インターネットを通じてＥＶに関するカーボンフットプリントのデータベースにアクセスするようにしても良い。
【００７０】
記憶装置２２は、ＥＶユーザカード６１のユーザ毎にＣＯ２削減量のデータの累積値を記憶する。累積値は、１カ月等の所定期間毎の累積値である。記憶装置２２は、ホームコントローラ４と関連して家庭内または家庭外（例えばインターネット上）に設けられている。記憶装置２２からのＣＯ２削減量の累積値をホームコントローラ４が読み込むと、累積値がホームコントローラ４の制御によってディスプレイ１５によって表示される。
【００７１】
図１１に示すように、ＥＶユーザカード６１の利用履歴情報によって、ＣＯ２削減量に関する情報がディスプレイ１５に表示される。図１１に示すように、情報表示エリア１０１には、リーダ／ライタ８ｂによって読み込まれたＥＶユーザカード６１のＥＶ履歴情報が表示される。ＥＶ履歴情報は、前回からの走行距離の表示と、その走行距離により発生したＣＯ２排出量の表示と、累積走行距離の表示と、その累積走行距離により発生したＣＯ２排出量の表示とを含む。さらに、ＥＶのバッテリに対する充電状態（オン／オフ）と、充電状態の表示がなされる。
【００７２】
なお、必要に応じてＥＶのステータス情報例えばライトの点灯／消灯の情報を取得してライトのオン／オフをリモートコントロールするようにしても良い。
【００７３】
「他の機能について」
メニュー選択エリア１０２には、見守りアイコン１１５およびセキュリティアイコン１１６が表示されている。見守りアイコン１１５が選択されている時には、自分の家庭と同様のホームエネルギーネットワークが導入されている祖父母の家庭のホームコントローラに対して、インターネットを通じてアクセスし、ログインすることが可能とされる。自分の家庭におけるモニタリングと同様に、祖父母の家庭の電気器具の使用状況等をモニタリングすることができる。このモニタリングによって、「普段と違う」状況を見つけることが可能となり、同じ画面からインターホン機能によって相手を呼出して会話し、異常の有無を確認することができる。
【００７４】
セキュリティアイコン１１６を選択すると、自身の家庭の玄関に設置されているインターホン７の機能が呼び出され、ディスプレイ１５の情報表示エリア１０１にインターホンの機能画面が表示される。インターホンは、ＩＣカード（ＩＤカードの機能を有する）との間での通信を行うことが可能とされている。図示しないが、インターホンの機能画面は、例えば玄関に設置されている撮像装置の映像と、会話ボタン、終了ボタン等のアイコンと、インターホンの利用履歴等を含むものである。
【００７５】
インターホン７に付属するリーダ／ライタが来訪者のＩＣカードを読み取り、読み取ったＩＤをホームコントローラに送信する。ホームコントローラは、ＩＤをインターネット上のデータベースに送信する照会を行う。データベースからＩＤに対応する人物の情報がホームコントローラに対して通知され、来訪者が不審人物でないことが確認されると、解錠がなされる。そうでない場合には、解錠がなされない。このような来訪者に関する情報の履歴が記憶装置に保存されている。データベースに照会した結果に基づいて解錠を行うので、セキュリティを高くすることができる。
【００７６】
＜２．変形例＞
以上、この発明の一実施形態について具体的に説明したが、この発明は、上述の一実施形態に限定されるものではなく、この発明の技術的思想に基づく各種の変形が可能である。例えば温室ガス排出量または削減量装置は、家庭に限らず、区画化されたエリアに対して適用できる。
【符号の説明】
【００７７】
１・・・電力供給網
２・・・スマートメータ
４・・・ホームコントローラ
５・・・器具モニタ
８・・・ＥＶ用コンセント
１０・・・ソーラパネル
１１・・・ソーラモジュール
１２・・・蓄電装置
１４・・・エネルギーステーション
１５・・・ディスプレイ
２０・・・リーダ／ライタ
２１・・・インターネット
２２・・・記憶装置
３１・・・ＩＣカード乗車券
３２・・・カーボンフットプリントデータベース
４１・・・搭乗履歴が記録されたＩＣカード
５１・・・電子マネーカード
６１・・・ＥＶユーザカード
１０１・・・情報表示エリア
１０２・・・メニュー選択エリア
１０３・・・ユーザ選択エリア
【図１】
0005707775.tif 000002
【図２】
0005707775.tif 000003
【図３】
0005707775.tif 000004
【図４】
0005707775.tif 000005
【図５】
0005707775.tif 000006
【図６】
0005707775.tif 000007
【図７】
0005707775.tif 000008
【図８】
0005707775.tif 000009
【図９】
0005707775.tif 000010
【図１０】
0005707775.tif 000011
【図１１】
0005707775.tif 000012